(57)【要約】【課題】  脚を置くことのできるすのこ状の脚置部を簡単に設置することができ、尚且つ、簡単に所望の位置にこの脚置部を位置させることができ、また、脚置部を使用しない場合であっても、この脚置部の収納場所を改めて確保する必要がなく、しかも足裏からの採暖性を低下させず、その上、使用者が使用するに当たって火傷を負う危険が少ない掘こたつを提供する。【解決手段】  床面Ｆに設けた開口を上方開口とする炉箱１と、炉箱１内を加熱する加熱部２と、炉箱１の上方に設けられた座卓３と、炉箱１の上方開口１１の一部を覆うようにして設けられた脚置部４と、を備えた掘こたつである。脚置部４を炉箱１の上方開口１１の開口縁部に回動自在に設ける。脚置部４は、床面Ｆに対して略平行な姿勢である水平姿勢を維持した状態で、回動軸側の開口縁部と該回動軸側の開口縁部に対向する開口縁部の範囲内でスライド自在に設けた。【選択図】        図１
2010145077.tif 000002
【特許請求の範囲】
【請求項１】
床面に設けた開口を上方開口とする炉箱と、炉箱内を加熱する加熱部と、炉箱の上方に設けられた座卓と、炉箱の上方開口の一部を覆うようにして設けられた脚置部と、を備えた掘こたつであって、脚置部を炉箱の上方開口の開口縁部に回動自在に設け、該脚置部は、床面に対して略平行な姿勢である水平姿勢を維持した状態で、回動軸側の開口縁部と該回動軸側の開口縁部に対向する開口縁部の範囲内でスライド自在に設けて成ることを特徴とする掘こたつ。
【請求項２】
前記脚置部は、すのこ状又は格子状に形成して成ることを特徴とする請求項１に記載の掘こたつ。
【発明の詳細な説明】
【技術分野】
【０００１】
本発明は、床面に設けた開口を上方開口とする炉箱上に座卓を配設した掘こたつに関するものである。
【背景技術】
【０００２】
従来から、床面に設けた開口を上方開口とする炉箱上に座卓を配設した掘こたつが知られている（例えば、特許文献１参照）。
【０００３】
この掘こたつは、床面に設けた矩形状の開口を上方開口とする炉箱の内部に加熱部を設け、この炉箱の上方に座卓を設けることで、使用者は椅子に座ったような姿勢で暖をとることができるようになっている。ここで、この椅子に座ったような姿勢のまま長時間座り続けた場合、脚を伸ばしたり、また、寝転がったりして、リラックスした姿勢をとりたくなることがある。
【０００４】
このような場合には、掘こたつとは別体のすのこを予め用意しておき、掘こたつの布団を持ち上げながらこのすのこを座卓の下方に挿通し、さらに、掘こたつの炉箱の上方開口における所望の設置位置を覗き込んで確認しながら、その設置位置にすのこを嵌め込むことで、すのこを設置する。このようにすのこを炉箱の上方開口に架設することで、暖を取りながら、すのこ上に脚を委ねることができるようになる。こうすることで、椅子に座ったような姿勢をとり続けて疲れた脚を伸ばしたり、また、脚をすのこ上に預けたまま寝転がったりするようにしていた。
【特許文献１】特開平７−２３３９４７号公報
【発明の開示】
【発明が解決しようとする課題】
【０００５】
しかしながら、このような掘こたつに対して別個に設けたすのこを、上記のように、掘こたつの布団を持ち上げながら座卓の下方に挿通し、さらに、掘こたつの炉箱の上方開口における所望の設置位置を覗き込んで確認しながら設置するに当たっては、一方の手で布団を持ち上げながら、他方の手ですのこを持ち上げて且つ座卓の下方に挿通しなければならず、力のいる作業となる上に、非常に面倒なものであった。
【０００６】
さらに、上記のようにすのこを設置し、そのすのこ上に脚を置いてリラックスしているときにおいても、その後更に脚の位置を変えたり、姿勢を変えたりしたくなる場合がある。この脚の位置を変えたり姿勢を変えたりするに当たり、現在設置してあるすのこを移動させなければならない場合には、一旦すのこを炉箱上から取り外した上で、改めて所望の位置にすのこを設置する必要があり、非常に面倒なものとなっていた。
【０００７】
しかも、このようにすのこは掘こたつに対して別個に設けられているため、普段、掘こたつを使用するに当たっては、すのこを取り外さなければならない。この場合、取り外したすのこを掘こたつの炉箱の底面に載置するようにして収納すれば、収納場所を新たに設ける必要はないものの、足裏からの採暖性に欠けることになってしまう。一方、居住空間から見えてしまう場所に収納しなければならない場合、見栄えが悪くなり、部屋の外観を損ねてしまうことになる。つまり、平常時に掘こたつを使用するに当たって、取り外したすのこを収納する場合は、居住空間からは見えない位置において収納場所を新しく設けなければならないという問題もあった。
【０００８】
また、炉箱の側面及び底面にヒーターを配設した掘こたつにあっては、通常、炉箱内の温度を上昇させるものとして炉箱の側面に設けられたヒーターがその役割を担っているため、その炉箱の側面に設けられたヒーターの温度は、４０℃以上の状態となっていることが多い。そのため、使用者がこの掘こたつ内に脚部を挿入し、椅子に座ったような姿勢をとっている場合において、使用者のふくらはぎが長時間この炉箱の側面のヒーターに接触し続けた場合には、そのふくらはぎが低温火傷を負ってしまうという問題も生じていた。
【０００９】
本発明は、上記従来の問題に鑑みてなされたものであり、その目的とするところは、脚を置くことのできるすのこ状の脚置部を簡単に設置することができ、尚且つ、簡単に所望の位置にこの脚置部を位置させることができ、また、脚置部を使用しない場合であっても、この脚置部の収納場所を改めて確保する必要がなく、しかも足裏からの採暖性を低下させず、その上、使用者が使用するに当たって火傷を負う危険が少ない掘こたつを提供することにある。
【課題を解決するための手段】
【００１０】
上記課題を解決するために請求項１に係る発明にあっては、床面Ｆに設けた開口を上方開口とする炉箱１と、炉箱１内を加熱する加熱部２と、炉箱１の上方に設けられた座卓３と、炉箱１の上方開口１１の一部を覆うようにして設けられた脚置部４と、を備えた掘こたつである。この掘こたつにおける脚置部４を炉箱１の上方開口１１の開口縁部に回動自在に設ける。そしてこの脚置部４は、床面Ｆに対して略平行な姿勢である水平姿勢を維持した状態で、回動軸側の開口縁部と該回動軸側の開口縁部に対向する開口縁部の範囲内でスライド自在になるように設ける。
【００１１】
このように構成したことで、いつでも簡単に水平姿勢の脚置部４を設置することができ、しかも、簡単に所望の位置にこの脚置部４を位置させることができる。また、この脚置部４は回動自在に設けてあるから簡単に収納することができ、しかも収納場所を掘こたつ外に改めて設ける必要がない。更に、脚置部４を収納した場合であっても、この脚置部４は炉箱１内に収まっているから、部屋の外観を損なうこともない上に、脚置部４は炉箱１の側壁に沿った状態で収納できるから、足裏における採暖性を低下させることがない。また、炉箱１の側面に加熱部２を設けた掘こたつであっても、加熱部２とふくらはぎとの間に脚置部４が常に介在することとなるため、加熱部２とふくらはぎが直接接触することがない。つまり、ふくらはぎが低温火傷を引き起こす危険を大幅に低減させることができる。
【００１２】
また、請求項２に係る発明にあっては、請求項１に係る発明において、脚置部４をすのこ状又は格子状に形成する。
【００１３】
このように構成したことで、請求項１に係る効果に加えて、脚置部４はすのこ状又は格子状に形成してあるから、使用者が脚置部４に脚を預けた場合であっても、使用者の脚部に対する熱線や輻射熱が遮られることがない。その上、炉箱１の側面に加熱部２を設けた掘りこたつにおいてこの脚置部４を収納して使用するに当たっても、この脚置部４はすのこ状又は格子状に形成してあるから、使用者の脚部への熱線や輻射熱が遮られることがなくなる。
【発明の効果】
【００１４】
本発明によれば、脚を預けることのできるすのこ状の脚置部を簡単に使用できる状態にすることができ、しかも、簡単に所望の位置に脚置部を位置させることができるため、掘こたつを使用する者は、加熱部による輻射熱や熱線が遮られることがない温かい状態を保ちつつ、いつでも気軽にリラックス状態をつくることができる。その上、この脚置部は簡単に収納することができ、且つ、この脚置部は炉箱の側壁に沿って収納することもできるから、収納場所に困ることなく、また、収納しても外観を低下させることがなく、しかも、加熱部に接触することによる火傷を防ぐことで安全性を向上させるものである。
【発明を実施するための最良の形態】
【００１５】
以下、本発明について添付図面に基づいて説明する。
【００１６】
本実施形態の掘こたつは、図１に示すように、上方に開口を有した有底箱状の炉箱１と、炉箱１内に挿入した使用者の脚部を暖める（すなわち炉箱１内を加熱する）加熱部２と、座卓３と、炉箱１の上方開口１１の一部を覆うようにして設けられた脚置部４とを備えている。
【００１７】
この炉箱１は、平面視矩形状をした有底箱形状で主体が構成されており、上部を開口した上方開口１１を形成している。上方開口１１の開口周縁には框１２が周設されており、周設された框１２の角部を形成する入隅部には、座卓３の支持脚３１２が載置される載置部１３が形成されている。この載置部１３は、周設された框１２の上面よりもわずかに下方に位置している。また、炉箱１の側壁の略全面に亘って断熱材６が敷設されている。本実施形態の断熱材６は、発泡ウレタンによって形成されたものであり、炉箱１の側壁の内面側に接着によって固着一体化がなされている。
【００１８】
図１乃至図３に示すように、炉箱１の上方開口１１において開口縁部の長手方向に沿うようにしてレール５が固設されている。このレール５は、上片５１及び下片５２をウェブ片５３によって連結し、ウェブ片５３が連設されている側とは反対側の端部から互いに内向するようにしてリップ片５４を突設することで構成されている。レール５の断面におけるこの上片５１及び下片５２の水平方向の略中間部には、互いに向き合うようにして突片５５が突設されている。この突片５５と下片５２とウェブ片５３と上片５１とで囲まれる部分を軸側走行部５６とし、突片５５と下片５２とリップ片５４と上片５１とで囲まれる部分を先端側走行部５７としている。図５（ｃ）に示すように、各レール５における軸側走行部５６の長手方向の一方の端部には、下方に凹設された回動支点部５８が形成されている。また、その回動支点部５８よりも炉箱１の長手方向の中央側（すなわち、レール５の長手方向の中央側）には、先端側走行部５７における下片５２、及び、その下片５２に連設されるリップ片５４を切り欠いた切欠部５９が設けられている。
【００１９】
ここで、炉箱１の外面には端子ケース７が設けられており、図示は省略するが、後述する加熱部２から延設された給電コードが接続されると共に、コンセント等の家庭用給電部に接続される電源コードが接続されている。そして、この端子ケース７内で給電コードと電源コードとが接続されるようになっている。
【００２０】
脚置部４は、炉箱１の上方開口１１の開口縁部に回動自在に設けられたすのこ状の脚置板４１により主体が構成されている。脚置板４１は合成樹脂を押出成形した平面視略長方形の板状部材で形成されており、この脚置板４１の短辺の略全長に亘る長さで略矩形状の隙間４２が形成されて、脚置板４１の長手方向の略全長に亘って隙間４２と格子４３とが交互に複数形成されている。これにより脚置板４１はすのこ状となっている。また、図４に示すように、このような脚置板４１の短辺の一方の端部には、この脚置板４１を回動自在に軸支する回動軸部４４が設けられており、この回動軸部４４は回動軸４４１の先端に回転自在に軸支されたローラー４４２を設けることで構成されている。さらに、脚置板４１の長手方向の両端部で、且つ、回動側の端部（すなわち脚置板４１の短辺における他方の端部）には、側方に向けて（すなわち回動軸４４１と略平行に）突設された先端軸部４５が設けられており、この先端軸部４５は、先端軸４５１の突出先端に回転自在に軸支されたローラー４５２を設けることで構成されている。脚置板４１の長手方向の両端に設けられた回動軸４４１のローラー４４２間の距離は、先端軸４５１のローラー４５２間の距離よりも長く形成されている。この回動軸４４１のローラー４４２はレール５における軸側走行部５６上を走行できるようになっていると共に、先端軸４５１のローラー４５２はレール５における先端側走行部５７上を走行できるようになっている。さらに、この回動軸４４１のローラー４４２が軸側走行部５６上に位置し、且つ、先端軸４５１のローラー４５２が先端側走行部５７上に位置しているときには、この脚置部４は床面Ｆに対して略平行な姿勢である水平姿勢となる（図５（ｃ）参照）。
【００２１】
また、この回動軸４４１の先端にそれぞれ設けられたローラー４４２を、レール５の長手方向の端部に設けられた回動支点部５８に嵌め込むことで、脚置部４をレール５に沿って移動不能とすることができる（図５（ａ）等参照）。つまり、この回動支点部５８に脚置部４の回動軸部４４が支持されることで、この脚置部４が回動自在に軸支されるようになる。このように炉箱１の上方開口１１の開口周縁に回動自在に設けられた脚置部４を、上方に向けて回動させると、この脚置部４にある先端軸部４５が、レール５に設けられた切欠部５９にちょうど挿通するようになっている。これにより、回動自在に設けられた脚置部４を上方に向けて回動させ、レール５に設けられた切欠部５９に脚置部４の先端軸部４５を挿通し、その後、回動軸部４４側の開口縁部に対向する開口縁部側に向けてこの脚置部４を移動させると、回動軸４４１のローラー４４２（回動軸部４４）が回動支点部５８としての凹部を乗り越え、脚置部４はレール５に対してスライド自在に移動することができる。このように水平姿勢の脚置部４は、回動軸４４１側の開口縁部と該回動軸４４１側の開口縁部に対向する開口縁部の範囲内でスライド自在に移動できるようになっている。
【００２２】
図１に示すように、本実施形態の座卓３は炉箱１の上方に設けられており、平面視略矩形状の天板載置部３１１の各出隅部から下方に向けて連設した支持脚３１２を有するやぐら３１と、天板載置部３１１に載置される平面視略矩形板状の天板部３２とを備えている。各支持脚３１２は炉箱１に設けられた載置部１３に載置されるようになっており、この載置部１３は周設された框１２よりも僅かに下方に位置しているから、座卓３を載置部１３に載置した場合に位置決めできるようになっている。また、やぐら３１の天板載置部３１１の下面には、加熱部２の一部である上方加熱部２ａが設けられている。この上方加熱部２ａは、やぐら３１の天板載置部３１１の裏面の全面に亘って敷設されており、面状のヒーターから構成されている。この面状ヒータは、耐熱絶縁層で被覆されたヒーター線と均熱アルミシートとが面状に一体成形されることで構成されている。この上方加熱部２ａからは図示しない給電コードが延設されており、前述の通り、炉箱１の外面に設けられた端子ケース７を介して電源コードに電気的に接続されている。
【００２３】
ここで本実施形態の加熱部２は、座卓３に設けられた上述した上方加熱部２ａと、炉箱１の側壁と底面に内装された下方加熱部２ｂとを備えている。
【００２４】
この炉箱１内の下方加熱部２ｂは、炉箱１内に設けられた断熱材６の内面の略全面に亘って設置されている。本実施形態の下方加熱部２ｂは面状ヒーターであって、上方加熱部２ａと同様に、耐熱絶縁層で被覆されたヒーター線と均熱アルミシートとが面状に一体成形されている。この下方加熱部２ｂは、炉箱１の底面に敷設される底面加熱部２１と、この底面加熱部２１の外周辺から連設されて炉箱１の側壁に内張りされる４枚の側面加熱部２２とを備えており、この側面加熱部２２は底面加熱部２１に対して折り曲げ自在となっている。なお、下方加熱部２ｂは、図示しない給電コードが延設されており、前述の通り、端子ケース７を介して電源コードに電気的に接続されている。
【００２５】
このように構成された掘こたつは、床面Ｆに設けられた開口部に配設される。詳しくは、床面Ｆに設けられた開口部に炉箱１の上方開口１１を構成する框１２を嵌め込んだ状態で固設され、床面Ｆの開口部の外縁の上面と框１２の上面とが面一状となるように構成される。その結果、床面Ｆに設けられた開口が炉箱１の上方開口１１となるようになっている。
【００２６】
以上、本実施形態の掘こたつの構成について説明したが、この掘こたつの使用に当たっては以下のようにして行なう。なお、図１中の８は掘こたつ用の布団を示している。
【００２７】
まず、通常の掘こたつとして使用する場合は、図５（ａ）に示すように、脚置部４が炉箱１の側壁に沿った状態の収納姿勢となるように、脚置部４を下方に回動するのであるが、スライド自在で、且つ、水平姿勢の状態の脚置部４を、レール５の回動支点部５８がある側に向けて移動させる。そして、回動軸４４１のローラー４４２が回動支点部５８に嵌まり込むのと同時に、先端軸４５１のローラー４５２が先端側走行部５７に設けられた切欠部５９に没入して、脚置部４の回動先端側の端部がレール５から脱落する。その後、回動軸４４１のローラー４４２が回動支点部５８に支承されることにより、脚置部４が回動自在となり、この脚置部４は炉箱１の側壁に沿った収納姿勢となる。これにより、使用者は脚を下方に下げた状態（つまり、椅子に座ったような状態）で脚を炉箱１内に入れることができ、炉箱１内に内装された下方加熱部２ｂと座卓３裏面に装着された上方加熱部２ａと（つまり加熱部２）によって炉箱１内が加熱され、通常の掘こたつとしての使用が可能となる。このとき、脚置部４は炉箱１の側壁に沿った状態で収納されているから、足裏における採暖性を低下させることがない。
【００２８】
他方、脚置部４を炉箱１の上方開口１１に架設してその架設された脚置部４に脚を預けてリラックスしたい場合は、図５（ｂ）のように、この収納姿勢にある脚置部４を上方に回動させて、先端軸部４５をレール５に設けられた切欠部５９に挿通する。この状態で、脚置部４を回動軸４４１がある側とは反対側の開口縁部に向けて移動させると、この脚置部４は水平姿勢のまま所望の位置にスライド移動させることができる（図５（ｃ）参照）。その結果、使用者は脚を前方に向けて投げ出した姿勢をとったり、脚を脚置部４に預けて寝転がったりすることができるようになる。脚置部４が水平姿勢の状態であっても、脚置部４はすのこ状の脚置板４１を主体として構成しているから、炉箱１内の下方加熱部２ｂからの熱線や輻射熱が遮られることがない。しかも、座卓３の裏面にも上方加熱部２ａが設置してあるから、暖かい状態を保ったまま寝転がったりすることができる。
【００２９】
本実施形態のように、炉箱１の底面のみならず側面においても加熱部２が内装されているものにおいて、仮に本発明の脚置部４が設置されていない場合には、炉箱１の側壁に配設された加熱部２が使用者のふくらはぎ等の脚部の一部に直接接触してしまう。この加熱部２と脚部との接触状態が長時間続けば、低温火傷を引き起こすことにもなってしまうという問題があるが、本発明においては、脚置部４を炉箱１の側壁に沿った状態で収納できるため、通常の使用に当たっては、使用者の脚部と炉箱１の側壁の加熱部２との間に収納状態の脚置部４が介在することになる。つまり、本発明の脚置部４を設置したことにより、炉箱１の側壁に設けた加熱部２により火傷するのを防止することができるという利点も有している。
【００３０】
言い換えれば、本発明のようにすのこ状の脚置部４を炉箱１の側面に沿って収納するようにしたため、側面加熱部２２に使用者の脚部が直接接触することがないから、火傷を防止するという安全性を確保した上で、側面加熱部２２から発せられる暖気は、すのこ状の脚置部４を通過するので、ふくらはぎを中心とした脚部を効果的に暖めることができる。
【００３１】
このように、本発明の脚置部４は収納された状態から上方に向けて回動させるという動作だけで、従来例のような炉箱１の開口にすのこを架設した状態と同様の状態を構成することができる上に、簡単に所望の位置に脚置部４を位置させることができる。つまりこの結果、使用者はいつでも簡単且つ確実に、所望の位置に脚置部４を設置できて、この脚置部４に脚を預けることができるから、楽な姿勢をとってリラックスすることができる。また、収納するに当たっても、下方に向けて回動させるだけでよいので、いつでも簡単に収納することができ、その上、収納場所に困ることもない。更に言えば、この収納姿勢における脚置部４は炉箱１内に収まっているから、従来例のように、収納したすのこが居住空間から見えて部屋の外観を損なってしまうという問題も同時に解消することができる。
【００３２】
また、上記のように脚置部４はすのこ状の脚置板４１により構成されているが、この脚置板４１は格子状に形成したものであってもよい。つまり、この脚置部４はすのこ状又は格子状に形成してあれば、上記と同様の効果を得ることができる。
【００３３】
なお、本実施形態の炉箱１の側壁の内周面に配設した断熱材６は発泡ウレタンにより構成されたものであるが、特に限定されるものではない。また、加熱部は上方加熱部２ａと下方加熱部２ｂとを備えているが、下方加熱部２ｂだけを加熱部２としたものであっても勿論良い。さらに、本実施形態の脚置板４１は合成樹脂を押出成形することにより形成されているが、木製の板により形成したものであっても良い。
【図面の簡単な説明】
【００３４】
【図１】本発明の一実施形態の側断面図である。
【図２】同上の脚置部が収納姿勢にある場合の一部を省略した斜視図である。
【図３】同上の脚置部が水平姿勢にある場合の一部を省略した斜視図である。
【図４】同上の脚置部の構造の要部を示した図であり、（ａ）は上面図であり（ｂ）は正面断面図である。
【図５】同上の脚置部の動作を説明するための断面図であり、（ａ）は脚置部が収納姿勢の場合（ｂ）は切欠部に嵌まり込む直前の場合（ｃ）は水平姿勢でスライド可能となった場合を示している。
【符号の説明】
【００３５】
１      炉箱
１１    上方開口
１２    框
１３    載置部
２      加熱部
２ａ    上方加熱部
２ｂ    下方加熱部
２１    ヒーター底面部
２２    ヒーター側面部
３      座卓
３１    やぐら
３１１  天板載置部
３１２  支持脚
３２    天板部
４      脚置部
４１    脚置板
４４    回動軸部
４５    先端軸部
５      レール
５９    切欠部
６      断熱材
８      布団
Ｆ      床面
【図１】
2010145077.tif 000003
【図２】
2010145077.tif 000004
【図３】
2010145077.tif 000005
【図４】
2010145077.tif 000006
【図５】
2010145077.tif 000007